(57)【要約】  表示装置（１００）は、発光ダイオード（２ａ，２ｂ）と、発光ダイオード（２ａ，２ｂ）から照射された光（３ａ，３ｂ）を吸収する際の、光（３ａ）の波長帯である第１の波長帯に含まれる第２の波長帯における吸収率が、第２の波長帯以外の波長における吸収率よりも低い反射材（４ａ，４ｂ）と、反射材（４ａ，４ｂ）を経た光（３ａ，３ｂ）を透過する表示部（５ａ，５ｂ）とを備える。
2019064562.tif 000002
【特許請求の範囲】
【請求項１】
複数の発光ダイオードと、
前記発光ダイオードから照射された光を吸収する際の、前記光の波長帯である第１の波長帯に含まれる第２の波長帯における吸収率が、前記第２の波長帯以外の波長における吸収率よりも低い被照射部と、
前記被照射部を経た前記光を透過する表示部と、
を備えることを特徴とする表示装置。
【請求項２】
前記被照射部は、前記発光ダイオードから照射された光を反射する際の、前記第１の波長帯に含まれる前記第２の波長帯における反射率が、前記第２の波長帯以外の波長における反射率よりも高い
ことを特徴とする請求項１に記載の表示装置。
【請求項３】
前記被照射部は、前記発光ダイオードから照射された光を透過する際の、前記第１の波長帯に含まれる前記第２の波長帯における透過率が、前記第２の波長帯以外の波長における透過率よりも高い
ことを特徴とする請求項１に記載の表示装置。
【請求項４】
前記被照射部は、着色剤を含む樹脂材料であって、前記光を反射する第１の反射材から構成される
ことを特徴とする請求項１または２に記載の表示装置。
【請求項５】
前記被照射部は、前記光を反射する第２の反射材と、前記第２の反射材の反射面に設けられた色の付いた半透明部材とから構成される
ことを特徴とする請求項１または３に記載の表示装置。
【請求項６】
前記被照射部は、前記光を透過する色の付いた半透明部材から構成される
ことを特徴とする請求項１または３に記載の表示装置。
【請求項７】
前記被照射部は、着色剤を含む樹脂材料であって、前記光を反射する第３の反射材と、前記第３の反射材によって反射される前記光を反射する第４の反射材とから構成される
ことを特徴とする請求項１または２に記載の表示装置。
【請求項８】
前記表示部は、色の付いていない部材から構成される
ことを特徴とする請求項１から７のいずれか１項に記載の表示装置。
【請求項９】
請求項１から８のいずれか１項に記載の表示装置を備える
ことを特徴とする空気調和機。
【発明の詳細な説明】
【技術分野】
【０００１】
本発明は、同色の発光ダイオードを複数備える表示装置およびその表示装置を備える空気調和機に関する。
【背景技術】
【０００２】
従来から、たとえば室内機の筐体の正面側に、発光ダイオードを備えた表示装置が設けられた空気調和機が存在している。このような空気調和機では、表示装置を用いて空気調和機の運転状態の情報などをユーザに伝達している。【０００３】
たとえば、特許文献１に記載の空気調和機の室内機は、ケーシングの前面に取り付けられる前面パネルの意匠面に発光表示を映し出す表示装置を備えている。この表示装置は、発光ダイオード（Light  Emitting  Diode，ＬＥＤ）と、ＬＥＤから照射された光を映し出す意匠面と、ＬＥＤと意匠面との間に配置されるメタリック色の遮光性の層と、ＬＥＤから遮光性の層に入射する光を拡散する拡散層とを備えている。そして、ＬＥＤから照射された光は、拡散層で全領域に広がった後、その一部が遮光性の層を透過することによって、前面パネルの意匠面に映し出される。
【先行技術文献】
【特許文献】
【０００４】
【特許文献１】特開２０１０−２５６５９７号公報
【発明の概要】
【発明が解決しようとする課題】
【０００５】
しかしながら、従来の技術では、同色の発光ダイオードを複数使用して表示部で同色の色をそれぞれ表示する場合は、発光ダイオードは放出される光の波長に個体差があるため、発光ダイオードの個体差により表示部でそれぞれ表示される色にバラツキが発生する、という問題があった。【０００６】
本発明は、上記に鑑みてなされたものであって、同色のダイオードを複数用いた表示装置において、発光ダイオードの個体差による表示される色のバラツキを低減することができる表示装置を得ることを目的とする。
【課題を解決するための手段】
【０００７】
上述した課題を解決し、目的を達成するために、本発明にかかる表示装置は、複数の発光ダイオードを備える。表示装置は、発光ダイオードから照射された光を吸収する際の、光の波長帯である第１の波長帯に含まれる第２の波長帯における吸収率が、第２の波長帯以外の波長における吸収率よりも低い被照射部を備える。表示装置は、被照射部を経た光を透過する表示部を備える。
【発明の効果】
【０００８】
本発明にかかる表示装置は、同色のダイオードを複数用いた表示装置において、発光ダイオードの個体差による表示される色のバラツキを低減することができるという効果を奏する。
【図面の簡単な説明】
【０００９】
【図１】本発明の実施の形態１にかかる表示装置の一例を示す断面図
【図２】図１における表示装置が空気調和機の室内機に設けられている場合の表示装置の表示部の位置を説明するための図
【図３】図１における発光ダイオードから照射される光の波長および放射強度を説明するための図
【図４】図１における表示部に到達する光の波長および放射強度を説明するための図
【図５】図１における表示部に到達する光の波長および放射強度を説明するための図
【図６】本発明の実施の形態２にかかる表示装置の一例を示す断面図
【図７】本発明の実施の形態２にかかる表示装置の変形例を説明するための図
【図８】本発明の実施の形態３にかかる表示装置の一例を示す断面図
【発明を実施するための形態】
【００１０】
以下に、本発明の実施の形態にかかる表示装置および空気調和機を図面に基づいて詳細に説明する。なお、この実施の形態によりこの発明が限定されるものではない。
【００１１】
実施の形態１．
まず、本発明の実施の形態１にかかる表示装置について説明する。図１は、本発明の実施の形態１にかかる表示装置の一例を示す断面図である。図２は、図１における表示装置が空気調和機の室内機に設けられている場合の表示装置の表示部の位置を説明するための図である。図３は、図１における発光ダイオードから照射される光の波長および放射強度を説明するための図である。図４および図５は、図１における表示部に到達する光の波長および放射強度を説明するための図である。
【００１２】
図１に示す、本発明の実施の形態１にかかる表示装置１００は、たとえば、図２に示す、空気調和機の室内機２００に設けられている。表示装置１００は、空気調和機の運転状態の情報などをユーザに伝達するために用いられる。表示装置１００の一例は、空気調和機が運転しているか否かを表示するランプである。表示装置１００の別の一例は、設定温度と室内温度との差が大きいため、空気調和機が高負荷運転を行っていることを表示するランプである。
【００１３】
表示装置１００は、基板１ａと、基板１ａ上に設けられた発光ダイオード（Light  Emitting  Diode，ＬＥＤ）２ａと、ＬＥＤ２ａから照射された光３ａの経路上に設けられた反射材４ａとを備える。反射材４ａは、光３ａを反射する。反射材４ａは、被照射部および第１の反射材の一例である。表示装置１００は、反射材４ａによって反射された光３ａの経路上に設けられた表示部５ａを備える。表示部５ａは、光３ａを透過することにより、色を表示する。表示装置１００は、反射材４ａによって反射された光３ａの経路を囲うように設けられた構造体６ａを備える。構造体６ａは、光３ａの漏れを防止する。
【００１４】
表示装置１００は、基板１ｂと、基板１ｂ上に設けられたＬＥＤ２ｂと、ＬＥＤ２ｂから照射された光３ｂの経路上に設けられた反射材４ｂとを備える。ＬＥＤ２ｂは、ＬＥＤ２ａと同色のＬＥＤである。反射材４ｂは、光３ｂを反射する。反射材４ｂは、被照射部および第１の反射材の一例である。表示装置１００は、反射材４ｂによって反射された光３ｂの経路上に設けられた表示部５ｂを備える。表示部５ｂは、光３ｂを透過することにより、色を表示する。表示装置１００は、反射材４ｂによって反射された光３ｂの経路を囲うように設けられた構造体６ｂを備える。構造体６ｂは、光３ｂの漏れを防止する。室内機２００の筐体２０と、表示部５ａおよび表示部５ｂとは、室内機２００の意匠面２１を構成する。表示部５ａおよび表示部５ｂは、図２に示すように室内機２００の筐体２０の正面側に設けられる。
【００１５】
反射材４ａは、たとえば樹脂材料に着色剤が練りこまれて着色された部材である。なお、反射材４ａに着色される色は、ＬＥＤ２ａの色に合わせて選択される。また、ＬＥＤ２ａの色は、表示部５ａに表示させたい色に合わせて選択される。たとえば、表示部５ａに緑色の表示をさせたい場合には、ＬＥＤ２ａに緑色発光ダイオードが用いられる。そして、反射材４ａは、樹脂材料に緑色の着色剤が練りこまれて緑色に着色される。反射材４ａは、ＬＥＤ２ａから照射された光３ａを吸収する際の、図３に示す光３ａの波長帯である第１の波長帯に含まれる第２の波長帯における吸収率が、第２の波長帯以外の波長における吸収率よりも低いものとする。第２の波長帯は、たとえば５６０ｎｍの波長を含む波長帯である。反射材４ａは、ＬＥＤ２ａから照射された光３ａを反射する際の、図３に示す光３ａの第２の波長帯における反射率が、第２の波長帯以外の波長における反射率よりも高いものであってもよい。反射材４ｂは、反射材４ａと同じ構成の部材である。反射材４ａおよび反射材４ｂは、反射面４ｘまたは反射面４ｙに光沢が出るように磨きが施されている。表示部５ａおよび表示部５ｂは、光３ａまたは光３ｂを透過する部材であって、色の付いていない部材で構成される。たとえば、表示部５ａおよび表示部５ｂは、透明のプラスチックで形成されている。
【００１６】
本実施の形態では、反射材４ａおよび表示部５ａを配置してから、ＬＥＤ２ａおよび構造体６ａを配置するようにしてもよく、表示部５ａおよびＬＥＤ２ａを配置してから、反射材４ａおよび構造体６ａを配置するようにしてもよく、ＬＥＤ２ａおよび反射材４ａを配置してから、表示部５ａおよび構造体６ａを配置するようにしてもよい。同様に、本実施の形態では、反射材４ｂおよび表示部５ｂを配置してから、ＬＥＤ２ｂおよび構造体６ｂを配置するようにしてもよく、表示部５ｂおよびＬＥＤ２ｂを配置してから、反射材４ｂおよび構造体６ｂを配置するようにしてもよく、ＬＥＤ２ｂおよび反射材４ｂを配置してから、表示部５ｂおよび構造体６ｂを配置するようにしてもよい。
【００１７】
次に、本発明の実施の形態１にかかる表示装置１００の動作について説明する。
【００１８】
図１に示すように、ＬＥＤ２ａから照射された光３ａは、反射材４ａによって反射されて、表示部５ａに到達する。構造体６ａによって、表示部５ａ以外、たとえば筐体２０の一部に光３ａが当たって筐体２０の一部が光ることが抑制される。反射材４ａが上述した着色された部材で構成されているため、反射材４ａの反射面４ｘに入射された光３ａのうちの、第２の波長帯以外の波長の光は、反射材４ａでほとんど吸収される。一方、反射材４ａの反射面４ｘに入射された光３ａのうちの、第２の波長帯の波長の光は、反射材４ａでほとんど吸収されることなく、反射材４ａによって反射される。このため、図４に示すように、表示部５ａに到達する光３ａは、第２の波長帯の波長の強度が強く、第２の波長帯以外の波長の強度が弱い光となる。図４の左側の図では、ＬＥＤ２ａから照射された光３ａの波長と放射強度との関係が示されている。
【００１９】
同様に、ＬＥＤ２ｂから照射された光３ｂは、反射材４ｂによって反射されて、表示部５ｂに到達する。構造体６ｂによって、表示部５ｂ以外、たとえば筐体２０の一部に光３ｂが当たって筐体２０の一部が光ることが抑制される。反射材４ｂが反射材４ａと同じ構成の部材で構成されているため、反射材４ｂの反射面４ｙに入射された光３ｂのうちの、第２の波長帯以外の波長の光は、反射材４ｂでほとんど吸収される。一方、反射材４ｂの反射面４ｙに入射された光３ｂのうちの、第２の波長帯の波長の光は、反射材４ｂでほとんど吸収されることなく、反射材４ｂによって反射される。このため、図４の左側の波長と放射強度との関係を示した図、および図５の左側の波長と放射強度との関係を示した図に示すように、放出される光の波長にＬＥＤごとの個体差がある場合においても、図５に示すように、表示部５ｂに到達する光３ｂは、第２の波長帯の波長の強度が強く、第２の波長帯以外の波長の強度が弱い光となる。図５の左側の図では、ＬＥＤ２ｂから照射された光３ｂの波長と放射強度との関係が示されている。同色の発光ダイオードを複数用いた表示装置において、表示される色の、発光ダイオードの個体差によるバラツキの原因は、図４および図５に示すように、第２の波長帯以外の波長の成分にある。
【００２０】
本実施の形態によれば、表示部５ａに到達する光３ａは、光３ａの第２の波長帯の波長の強度が強く、光３ａの第２の波長帯以外の波長の強度が弱くなる。表示部５ｂに到達する光３ｂも、第２の波長帯の波長の強度が強く、第２の波長帯以外の波長の強度が弱くなる。これにより、同色の発光ダイオードを複数用いた表示装置において、表示される色の、発光ダイオードの個体差によるバラツキを低減することができる。すなわち、同色のダイオードを複数用いた場合であっても、表示部５において、個体差がないＬＥＤ２ａおよびＬＥＤ２ｂを使用した場合と同様の見栄えを実現することができる。さらに、表示部５ａおよび表示部５ｂでは、第２の波長帯の波長の強度が強い光３ａまたは光３ｂを透過するため、表示部５ａおよび表示部５ｂが表示する色を第２の波長帯の波長に対応した色にすることができる。すなわち、表示部５ａおよび表示部５ｂが表示する色を反射材４ａおよび反射材４ｂによって設定することができる。
【００２１】
本実施の形態では、表示装置１００が、基板と、ＬＥＤと、反射材と、表示部と、構造体とで構成された表示ユニットを２つ備えるものであったが、３つ以上の表示ユニットを備えるものであってもよい。
【００２２】
本実施の形態によれば、表示部５ａおよび表示部５ｂは、反射材４ａおよび反射材４ｂとは異なる、色の付いていない部材で構成される。これにより、表示部５ａおよび表示部５ｂの吸収率および反射率は反射材４ａおよび反射材４ｂの吸収率および反射率と同様とはならないため、たとえば室内機が設置される室内の蛍光灯などの光源からの外乱光によって発生する表示部５ａおよび表示部５ｂからの反射光は、上述した第２の波長帯の波長の強度が強い光とはならない。その結果、表示部５ａおよび表示部５ｂにおいて、ＬＥＤ２ａおよびＬＥＤ２ｂが点灯しているときと、ＬＥＤ２ａおよびＬＥＤ２ｂが消灯しているときとで表示する色の違いをユーザにはっきりと示すことができる。
【００２３】
実施の形態２．
次に、本発明の実施の形態２にかかる表示装置について説明する。図６は、本発明の実施の形態２にかかる表示装置の一例を示す断面図である。本発明の実施の形態２にかかる表示装置１００Ａは、反射材４ａおよび反射材４ｂを備えておらず、反射材７ａ、半透明部材８ａ、反射材７ｂおよび半透明部材８ｂを備える点が、上述した実施の形態１と異なる。実施の形態１と重複した構成および作用については説明を省略し、以下に異なる構成および作用についての説明を行う。
【００２４】
図６に示す、本発明の実施の形態２にかかる表示装置１００Ａは、基板１ａと、ＬＥＤ２ａと、ＬＥＤ２ａから照射された光３ａの経路上に設けられた反射材７ａとを備える。反射材７ａは、光３ａを反射する。表示装置１００Ａは、反射材７ａの反射面７ｘに設けられた半透明部材８ａを備える。反射材７ａおよび半透明部材８ａは、被照射部の一例である。反射材７ａは、第２の反射材の一例である。たとえば、半透明部材８ａは、反射材７ａの反射面７ｘに貼付されている。表示装置１００Ａは、反射材７ａによって反射された光３ａの経路上に設けられた表示部５ａを備える。表示部５ａは、光３ａを透過することにより、色を表示する。表示装置１００Ａは、反射材７ａによって反射された光３ａの経路を囲うように設けられた構造体６ａを備える。構造体６ａは、光３ａの漏れを防止する。
【００２５】
表示装置１００Ａは、基板１ｂと、ＬＥＤ２ｂと、ＬＥＤ２ｂから照射された光３ｂの経路上に設けられた反射材７ｂとを備える。反射材７ｂは、光３ｂを反射する。表示装置１００Ａは、反射材７ｂの反射面７ｙに設けられた半透明部材８ｂを備える。反射材７ｂおよび半透明部材８ｂは、被照射部の一例である。反射材７ｂは、第２の反射材の一例である。たとえば、半透明部材８ｂは、反射材７ｂの反射面７ｙに貼付されている。表示装置１００Ａは、反射材７ｂによって反射された光３ｂの経路上に設けられた表示部５ｂを備える。表示部５ｂは、光３ｂを透過することにより、色を表示する。表示装置１００Ａは、反射材７ｂによって反射された光３ｂの経路を囲うように設けられた構造体６ｂを備える。構造体６ｂは、光３ｂの漏れを防止する。
【００２６】
反射材７ａおよび反射材７ｂは、光３ａまたは光３ｂを反射する、たとえば鏡である。半透明部材８ａは、カラーフィルムといった色の付いた半透明部材である。なお、半透明部材８ａの色は、ＬＥＤ２ａの色に合わせて選択される。また、ＬＥＤ２ａの色は、表示部５ａに表示させたい色に合わせて選択される。たとえば、表示部５ａに赤色の表示をさせたい場合には、ＬＥＤ２ａに赤色発光ダイオードが用いられる。そして、半透明部材８ａは、赤色である。たとえば、ＬＥＤ２ａが赤色発光ダイオードである場合は、半透明部材８ａは、赤色のカラーフィルムである。半透明部材８ａは、ＬＥＤ２ａから照射された光３ａを吸収する際の、図３に示す光３ａの波長帯である第１の波長帯に含まれる第２の波長帯における吸収率が、第２の波長帯以外の波長における吸収率よりも低いものとする。半透明部材８ａは、ＬＥＤ２ａから照射された光３ａを透過する際の、図３に示す光３ａの第２の波長帯における透過率が、第２の波長帯以外の波長における透過率よりも高いものであってもよい。半透明部材８ｂは、半透明部材８ａと同じ構成の部材である。
【００２７】
本実施の形態では、反射材７ａ、半透明部材８ａおよび表示部５ａを配置してから、ＬＥＤ２ａおよび構造体６ａを配置するようにしてもよく、表示部５ａおよびＬＥＤ２ａを配置してから、反射材７ａ、半透明部材８ａおよび構造体６ａを配置するようにしてもよく、ＬＥＤ２ａ、反射材７ａおよび半透明部材８ａを配置してから、表示部５ａおよび構造体６ａを配置するようにしてもよい。同様に、本実施の形態では、反射材７ｂ、半透明部材８ｂおよび表示部５ｂを配置してから、ＬＥＤ２ｂおよび構造体６ｂを配置するようにしてもよく、表示部５ｂおよびＬＥＤ２ｂを配置してから、反射材７ｂ、半透明部材８ｂおよび構造体６ｂを配置するようにしてもよく、ＬＥＤ２ｂ、反射材７ｂおよび半透明部材８ｂを配置してから、表示部５ｂおよび構造体６ｂを配置するようにしてもよい。
【００２８】
次に、本発明の実施の形態２にかかる表示装置１００Ａの動作について説明する。
【００２９】
図６に示すように、ＬＥＤ２ａから照射された光３ａは、反射材７ａによって反射されて、表示部５ａに到達する。反射材７ａの反射面７ｘに上述したカラーフィルムといった色の付いた半透明部材８ａが設けられているため、半透明部材８ａに入射された光３ａのうちの、第２の波長帯以外の波長の光は、半透明部材８ａでほとんど吸収される。一方、半透明部材８ａに入射された光３ａのうちの、第２の波長帯の波長の光は、半透明部材８ａでほとんど吸収されることなく、反射材７ａによって反射され、反射材７ａによって反射された後も、半透明部材８ａでほとんど吸収されず、半透明部材８ａから出射される。このため、図４に示すように、表示部５ａに到達する光３ａは、第２の波長帯の波長の強度が強く、第２の波長帯以外の波長の強度が弱い光となる。
【００３０】
同様に、ＬＥＤ２ｂから照射された光３ｂは、反射材７ｂによって反射されて、表示部５ｂに到達する。反射材７ｂの反射面７ｙに半透明部材８ａと同じ構成の半透明部材８ｂが設けられているため、半透明部材８ｂに入射された光３ｂのうちの、第２の波長帯以外の波長の光は、半透明部材８ｂでほとんど吸収される。一方、半透明部材８ｂに入射された光３ｂのうちの、第２の波長帯の波長の光は、半透明部材８ｂでほとんど吸収されることなく、反射材７ｂによって反射され、反射材７ｂによって反射された後も、半透明部材８ｂでほとんど吸収されず、半透明部材８ｂから出射される。このため、図４の左側の波長と放射強度との関係を示した図、および図５の左側の波長と放射強度との関係を示した図に示すように、放出される光の波長にＬＥＤごとの個体差がある場合においても、図５に示すように、表示部５ｂに到達する光３ｂは、第２の波長帯の波長の強度が強く、第２の波長帯以外の波長の強度が弱い光となる。
【００３１】
本実施の形態によれば、表示部５ａに到達する光３ａは、光３ａの第２の波長帯の波長の強度が強く、光３ａの第２の波長帯以外の波長の強度が弱くなる。表示部５ｂに到達する光３ｂも、第２の波長帯の波長の強度が強く、第２の波長帯以外の波長の強度が弱くなる。これにより、上述した実施の形態１と同様の効果を奏することができる。さらに、本実施の形態によれば、たとえば鏡で光３ａまたは光３ｂを反射しているため、上述した実施の形態１と比較して、光３ａまたは光３ｂを反射する際の反射率を高くすることができる。
【００３２】
本実施の形態では、表示装置１００Ａが、基板と、ＬＥＤと、反射材と、半透明部材と、表示部と、構造体とで構成された表示ユニットを２つ備えるものであったが、３つ以上の表示ユニットを備えるものであってもよい。
【００３３】
本実施の形態によれば、表示部５ａおよび表示部５ｂは、半透明部材８ａおよび半透明部材８ｂとは異なる、色の付いていない部材で構成される。これにより、上述した実施の形態１と同様の効果を奏することができる。
【００３４】
本実施の形態では、ＬＥＤから照射された光を、半透明部材で透過しつつ、反射材で反射して、表示部へ到達させていた。本実施の形態では、図７に示すように、反射材７ａを設けることなく、ＬＥＤ２ａ、半透明部材８ａおよび表示部５ａを直線上に設けて、ＬＥＤ２ａから照射されて表示部５ａへ到達する光３ａの経路が直線的になるようにしてもよい。図７は、本発明の実施の形態２にかかる表示装置の変形例を説明するための図である。この場合、反射材７ａを設ける必要がなくなるため、部品点数を少なくすることができる。表示装置１００Ａが設けられる、たとえば図２に示す室内機２００の筐体２０の内部スペースに余裕がある場合に好適である。
【００３５】
実施の形態３．
次に、本発明の実施の形態３にかかる表示装置について説明する。図８は、本発明の実施の形態３にかかる表示装置の一例を示す断面図である。本発明の実施の形態３にかかる表示装置１００Ｂは、反射材４ａ、構造体６ａ、反射材４ｂおよび構造体６ｂを備えておらず、反射材９ａ、反射材１０ａ、反射材９ｂおよび反射材１０ｂを備える点が、上述した実施の形態１と異なる。実施の形態１と重複した構成および作用については説明を省略し、以下に異なる構成および作用についての説明を行う。
【００３６】
図８に示す、本発明の実施の形態３にかかる表示装置１００Ｂは、基板１ａと、ＬＥＤ２ａと、ＬＥＤ２ａから照射された光３ａの経路上に設けられた反射材９ａとを備える。反射材９ａは、光３ａを反射する。表示装置１００Ｂは、反射材９ａによって反射された光３ａの経路上に設けられた反射材１０ａを備える。反射材１０ａは、光３ａを少なくとも一度反射することにより、光３ａを表示部５ａに到達させる。反射材１０ａは、光３ａの漏れを防止する。表示装置１００Ｂは、光３ａを透過することにより、色を表示する表示部５ａを備える。反射材９ａおよび反射材１０ａは、被照射部の一例である。反射材９ａは、第３の反射材の一例である。反射材１０ａは、第４の反射材の一例である。
【００３７】
表示装置１００Ｂは、基板１ｂと、ＬＥＤ２ｂと、ＬＥＤ２ｂから照射された光３ｂの経路上に設けられた反射材９ｂとを備える。反射材９ｂは、光３ｂを反射する。表示装置１００Ｂは、反射材９ｂによって反射された光３ｂの経路上に設けられた反射材１０ｂを備える。反射材１０ｂは、光３ｂを少なくとも一度反射することにより、光３ｂを表示部５ｂに到達させる。反射材１０ｂは、光３ｂの漏れを防止する。表示装置１００Ｂは、光３ｂを透過することにより、色を表示する表示部５ｂを備える。反射材９ｂおよび反射材１０ｂは、被照射部の一例である。反射材９ｂは、第３の反射材の一例である。反射材１０ｂは、第４の反射材の一例である。
【００３８】
反射材９ａは、たとえば樹脂材料に着色剤が練りこまれて着色された部材である。なお、反射材９ａに着色される色は、ＬＥＤ２ａの色に合わせて選択される。また、ＬＥＤ２ａの色は、表示部５ａに表示させたい色に合わせて選択される。たとえば、表示部５ａに青色の表示をさせたい場合には、ＬＥＤ２ａに青色発光ダイオードが用いられる。そして、反射材９ａは、樹脂材料に青色の着色剤が練りこまれて青色に着色される。反射材９ａは、ＬＥＤ２ａから照射された光３ａを吸収する際の、図３に示す光３ａの波長帯である第１の波長帯に含まれる第２の波長帯における吸収率が、第２の波長帯以外の波長における吸収率よりも低いものとする。反射材９ａは、ＬＥＤ２ａから照射された光３ａを反射する際の、図３に示す光３ａの第２の波長帯における反射率が、第２の波長帯以外の波長における反射率よりも高いものであってもよい。反射材９ｂは、反射材９ａと同じ構成の部材である。反射材９ａおよび反射材９ｂは、反射面９ｘまたは反射面９ｙに光沢が出るように磨きが施されている。反射材１０ａも反射材９ａと同様に、たとえば樹脂材料に着色剤が練りこまれて着色された部材である。たとえば、反射材１０ａは、樹脂材料に青色の着色剤が練りこまれて青色に着色される。反射材１０ａは、光３ａを吸収する際の、図３に示す光３ａの波長帯である第１の波長帯に含まれる第２の波長帯における吸収率が、第２の波長帯以外の波長における吸収率よりも低いものとする。反射材１０ａは、光３ａを反射する際の、図３に示す光３ａの第２の波長帯における反射率が、第２の波長帯以外の波長における反射率よりも高いものであってもよい。反射材１０ｂは、反射材１０ａと同じ構成の部材である。反射材１０ａおよび反射材１０ｂも、反射面１０ｘまたは反射面１０ｙに光沢が出るように磨きが施されている。本実施の形態では、反射材９ａおよび反射材９ｂと、反射材１０ａおよび反射材１０ｂとが共通して同一の波長の光を多く吸収しないようにすることが好ましい。反射材９ａ、反射材９ｂ、反射材１０ａおよび反射材１０ｂは、色付きアルミテープで構成してもよく、アルミニウムとカラーフィルムとで構成してもよい。
【００３９】
本実施の形態では、反射材９ａおよび表示部５ａを配置してから、ＬＥＤ２ａおよび反射材１０ａを配置するようにしてもよく、表示部５ａおよびＬＥＤ２ａを配置してから、反射材９ａおよび反射材１０ａを配置するようにしてもよく、ＬＥＤ２ａおよび反射材９ａを配置してから、表示部５ａおよび反射材１０ａを配置するようにしてもよい。同様に、本実施の形態では、反射材９ｂおよび表示部５ｂを配置してから、ＬＥＤ２ｂおよび反射材１０ｂを配置するようにしてもよく、表示部５ｂおよびＬＥＤ２ｂを配置してから、反射材９ｂおよび反射材１０ｂを配置するようにしてもよく、ＬＥＤ２ｂおよび反射材９ｂを配置してから、表示部５ｂおよび反射材１０ｂを配置するようにしてもよい。
【００４０】
次に、本発明の実施の形態３にかかる表示装置１００Ｂの動作について説明する。
【００４１】
図８に示すように、ＬＥＤ２ａから照射された光３ａは、反射材９ａおよび反射材１０ａによって反射されて、表示部５ａに到達する。反射材１０ａによって、表示部５ａ以外、たとえば筐体２０の一部に光３ａが当たって筐体２０の一部が光ることが抑制される。反射材９ａおよび反射材１０ａが上述した着色された部材で構成されているため、反射材９ａの反射面９ｘ、および反射材１０ａの反射面１０ｘに入射された光３ａのうちの、第２の波長帯以外の波長の光は、反射材９ａおよび反射材１０ａでほとんど吸収される。一方、反射材９ａの反射面９ｘ、および反射材１０ａの反射面１０ｘに入射された光３ａのうちの、第２の波長帯の波長の光は、反射材９ａおよび反射材１０ａでほとんど吸収されることなく、反射材９ａおよび反射材１０ａによって反射される。このため、図４に示すように、表示部５ａに到達する光３ａは、第２の波長帯の波長の強度が強く、第２の波長帯以外の波長の強度が弱い光となる。
【００４２】
同様に、ＬＥＤ２ｂから照射された光３ｂは、反射材９ｂおよび反射材１０ｂによって反射されて、表示部５ｂに到達する。反射材１０ｂによって、表示部５ｂ以外、たとえば筐体２０の一部に光３ｂが当たって筐体２０の一部が光ることが抑制される。反射材９ｂが反射材９ａと同じ構成の部材で構成され、反射材１０ｂが反射材１０ａと同じ構成の部材で構成されているため、反射材９ｂの反射面９ｙ、および反射材１０ｂの反射面１０ｙに入射された光３ｂのうちの、第２の波長帯以外の波長の光は、反射材９ｂおよび反射材１０ｂでほとんど吸収される。一方、反射材９ｂの反射面９ｙ、および反射材１０ｂの反射面１０ｙに入射された光３ｂのうちの、第２の波長帯の波長の光は、反射材９ｂおよび反射材１０ｂでほとんど吸収されることなく、反射材９ｂおよび反射材１０ｂによって反射される。このため、図４の左側の波長と放射強度との関係を示した図、および図５の左側の波長と放射強度との関係を示した図に示すように、放出される光の波長にＬＥＤごとの個体差がある場合においても、図５に示すように、表示部５ｂに到達する光３ｂは、第２の波長帯の波長の強度が強く、第２の波長帯以外の波長の強度が弱い光となる。
【００４３】
本実施の形態によれば、表示部５ａに到達する光３ａは、光３ａの第２の波長帯の波長の強度が強く、光３ａの第２の波長帯以外の波長の強度が弱くなる。表示部５ｂに到達する光３ｂも、第２の波長帯の波長の強度が強く、第２の波長帯以外の波長の強度が弱くなる。これにより、上述した実施の形態１と同様の効果を奏することができる。さらに、本実施の形態によれば、ＬＥＤ２ａまたはＬＥＤ２ｂから照射された光３ａまたは光３ｂは、反射材９ａまたは反射材９ｂ、および反射材１０ａまたは反射材１０ｂによって少なくとも二度反射されて、表示部５ａまたは表示部５ｂに到達するため、一度だけ反射されて、表示部５ａまたは表示部５ｂに到達する場合と比較して、表示部５ａまたは表示部５ｂに到達する光３ａまたは光３ｂを、第２の波長帯以外の波長の強度がさらに弱い光３ａまたは光３ｂとすることができる。
【００４４】
本実施の形態では、表示装置１００Ｂが、基板と、ＬＥＤと、２つの反射材と、表示部とで構成された表示ユニットを２つ備えるものであったが、３つ以上の表示ユニットを備えるものであってもよい。
【００４５】
本実施の形態によれば、表示部５ａおよび表示部５ｂは、反射材９ａおよび反射材１０ａ、または反射材９ｂおよび反射材１０ｂとは異なる、色の付いていない部材で構成される。これにより、上述した実施の形態１と同様の効果を奏することができる。
【００４６】
上述した各実施の形態において、表示装置で用いられるＬＥＤは、赤色ＬＥＤ、緑色ＬＥＤおよび青色ＬＥＤといった単色のＬＥＤに限られず、白色ＬＥＤといったある程度波長帯の幅が広いものであってもよい。
【００４７】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００４８】
１ａ，１ｂ  基板、２ａ，２ｂ  発光ダイオード、３ａ，３ｂ  光、４ａ，４ｂ，７ａ，７ｂ，９ａ，９ｂ，１０ａ，１０ｂ  反射材、４ｘ，４ｙ，７ｘ，７ｙ，９ｘ，９ｙ，１０ｘ，１０ｙ  反射面、５ａ，５ｂ  表示部、６ａ，６ｂ  構造体、８ａ，８ｂ  半透明部材、２０  筐体、２１  意匠面、１００，１００Ａ，１００Ｂ  表示装置、２００  室内機。
【図１】
2019064562.tif 000003
【図２】
2019064562.tif 000004
【図３】
2019064562.tif 000005
【図４】
2019064562.tif 000006
【図５】
2019064562.tif 000007
【図６】
2019064562.tif 000008
【図７】
2019064562.tif 000009
【図８】
2019064562.tif 000010
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
発光ダイオードと、前記発光ダイオードから照射された光を吸収する際の、前記光の波長帯である第１の波長帯に含まれる第２の波長帯における吸収率が、前記第２の波長帯以外の波長における吸収率よりも低い被照射部と、前記被照射部を経た前記光を透過する表示部とを備える表示ユニットを２つ以上備え、
前記表示ユニットがそれぞれ備える前記発光ダイオードは同色である
ことを特徴とする表示装置。
【請求項２】
前記被照射部は、前記発光ダイオードから照射された光を反射する際の、前記第１の波長帯に含まれる前記第２の波長帯における反射率が、前記第２の波長帯以外の波長における反射率よりも高い
ことを特徴とする請求項１に記載の表示装置。
【請求項３】
前記被照射部は、前記発光ダイオードから照射された光を透過する際の、前記第１の波長帯に含まれる前記第２の波長帯における透過率が、前記第２の波長帯以外の波長における透過率よりも高い
ことを特徴とする請求項１に記載の表示装置。
【請求項４】
前記被照射部は、着色剤を含む樹脂材料であって、前記光を反射する第１の反射材から構成される
ことを特徴とする請求項１または２に記載の表示装置。
【請求項５】
前記被照射部は、前記光を反射する第２の反射材と、前記第２の反射材の反射面に設けられた色の付いた半透明部材とから構成される
ことを特徴とする請求項１または３に記載の表示装置。
【請求項６】
前記被照射部は、前記光を透過する色の付いた半透明部材から構成される
ことを特徴とする請求項１または３に記載の表示装置。
【請求項７】
前記被照射部は、着色剤を含む樹脂材料であって、前記光を反射する第３の反射材と、前記第３の反射材によって反射される前記光を反射する第４の反射材とから構成される
ことを特徴とする請求項１または２に記載の表示装置。
【請求項８】
前記表示部は、色の付いていない部材から構成される
ことを特徴とする請求項１から７のいずれか１項に記載の表示装置。
【請求項９】
請求項１から８のいずれか１項に記載の表示装置を備える
ことを特徴とする空気調和機。
【国際調査報告】
2019064562.tif 000011
2019064562.tif 000012
2019064562.tif 000013
2019064562.tif 000014